(57)【要約】【課題】発振器の動作モードを制御するための制御信号に使用できる電圧の範囲を大きくする。【解決手段】発振器１は、制御信号の入力を受ける制御端子と、制御信号の電圧を変換した変換信号を生成する電圧変換部６０と、第１閾値電圧を生成する電圧生成部５０と、変換信号の電圧と第１閾値電圧との比較結果を出力する比較部７０と、比較結果に基づいて、発振信号を出力するか否かを切り替える出力デバイス４０と、を備える。電圧変換部６０は、制御信号の最大電圧と出力デバイス４０の電源電圧との比に基づいて制御信号の電圧を分圧することにより変換信号を生成する。【選択図】図１
2016054377.tif 000002
【特許請求の範囲】
【請求項１】
発振信号を出力する発振器であって、
制御信号の入力を受ける制御端子と、
前記制御信号の電圧を変換した変換信号を生成する電圧変換部と、
前記変換信号の電圧がハイレベルであるかロウレベルであるかを判定するための第１閾値電圧を生成する電圧生成部と、
前記変換信号の電圧と前記第１閾値電圧との比較結果を出力する比較部と、
前記比較結果に基づいて、前記発振信号を出力するか否かを切り替える出力デバイスと、
を備える発振器。
【請求項２】
前記電圧変換部は、前記制御信号の最大電圧と前記出力デバイスの電源電圧との比に基づいて前記制御信号の電圧を分圧することにより前記変換信号を生成する、
請求項１に記載の発振器。
【請求項３】
前記電圧生成部は、前記制御信号の閾値電圧である第２閾値電圧と、前記制御信号の最大電圧と、前記出力デバイスの電源電圧と、に基づいて定められる前記第１閾値電圧を生成する、
請求項１又は２に記載の発振器。
【請求項４】
前記電圧生成部は、前記第２閾値電圧に、前記電源電圧に対する前記最大電圧の比を乗じることにより定められる前記第１閾値電圧を生成する、
請求項３に記載の発振器。
【請求項５】
前記電圧変換部は、前記制御信号の電圧が前記第２閾値電圧よりも小さいロウレベル電圧を示している場合に前記第１閾値電圧よりも小さい電圧の前記変換信号を生成し、前記制御信号の電圧が前記第２閾値電圧よりも大きいハイレベル電圧を示している場合に前記第１閾値電圧よりも大きい電圧の前記変換信号を生成する、
請求項３又は４に記載の発振器。
【請求項６】
前記比較部は、前記変換信号の電圧が小さくなるように変化する場合には、前記変換信号の電圧が前記第１閾値電圧よりも所定値だけ小さな電圧に達したタイミングで前記比較結果を第１状態にし、前記変換信号の電圧が大きくなるように変化する場合には、前記変換信号の電圧が前記第１閾値電圧よりも所定値だけ大きな電圧に達したタイミングで前記比較結果を第２状態にする、
請求項１から５のいずれか１項に記載の発振器。
【請求項７】
前記制御信号の電圧範囲に関する情報を取得し、取得した情報に基づいて前記第１閾値電圧を決定する制御部をさらに備える、
請求項１から６のいずれか１項に記載の発振器。
【請求項８】
発振信号を出力する発振器を制御する方法であって、
前記発振信号を出力するか否かを切り替える制御信号の電圧範囲に関する情報を取得する手順と、
前記発振信号を出力するか否かを切り替える出力デバイスに供給される電源電圧に関する情報を取得する手順と、
前記制御信号の電圧を分圧する抵抗の値を決定する手順と、
前記抵抗の値を決定する手順の後に実行される、前記制御信号の変化に応じて前記発振信号を出力するか否かを切り替える手順と、
を有する発振器制御方法。
【発明の詳細な説明】
【技術分野】
【０００１】
本発明は、発振信号を出力する発振器、及び当該発振器を制御する方法に関する。
【背景技術】
【０００２】
従来、動作モードを切り替えることができる発振器が知られている。特許文献１には、外部から制御信号を入力することによって、発振回路を動作させるか停止させるかを制御可能な発振器が開示されている。特許文献１に開示された発振器には、制御信号に基づいて動作モードを切り替えるための半導体回路が設けられている。
【先行技術文献】
【特許文献】
【０００３】
【特許文献１】特開２０１４−７２７１６号公報
【発明の概要】
【発明が解決しようとする課題】
【０００４】
従来の構成により、外部からの制御により動作モードを切り替えることはできる。しかしながら、従来の発振器では、半導体回路に供給される電源電圧の範囲内で電圧が変化する制御信号が外部から入力されることが想定されていた。したがって、電源電圧より高い電圧の制御信号が入力されると、半導体回路が故障してしまうという問題があった。
【０００５】
また、発振器は、さまざまな装置において使用される。装置が外部に出力できる信号の電圧は装置ごとに異なり、例えば、ハイレベル電圧として３Ｖを出力する装置やハイレベル電圧として１０Ｖを出力する装置が存在する。この点、従来の発振器は、入力可能な電圧が半導体回路の電源電圧以下に制限されていたので、適用可能な装置が限られてしまうという問題もあった。
【０００６】
そこで、本発明はこれらの点に鑑みてなされたものであり、発振器の動作モードを制御するための制御信号に使用できる電圧の範囲を大きくすることを目的とする。
【課題を解決するための手段】
【０００７】
本発明の第１の態様においては、発振信号を出力する発振器であって、制御信号の入力を受ける制御端子と、前記制御信号の電圧を変換した変換信号を生成する電圧変換部と、前記変換信号の電圧がハイレベルであるかロウレベルであるかを判定するための第１閾値電圧を生成する電圧生成部と、前記変換信号の電圧と前記第１閾値電圧との比較結果を出力する比較部と、前記比較結果に基づいて、前記発振信号を出力するか否かを切り替える出力デバイスと、を備える発振器を提供する。
【０００８】
前記電圧変換部は、例えば、前記制御信号の最大電圧と前記出力デバイスの電源電圧との比に基づいて前記制御信号の電圧を変換することにより前記変換信号を生成する。
【０００９】
前記電圧生成部は、例えば、前記制御信号の閾値電圧である第２閾値電圧と、前記制御信号の最大電圧と、前記出力デバイスの電源電圧と、に基づいて定められる前記第１閾値電圧を生成する。前記電圧生成部は、前記第２閾値電圧に、前記電源電圧に対する前記最大電圧の比を乗じることにより定められる前記第１閾値電圧を生成してもよい。
【００１０】
また、前記電圧変換部は、前記制御信号の電圧が前記第２閾値電圧よりも小さいロウレベル電圧を示している場合に前記第１閾値電圧よりも小さい電圧の前記変換信号を生成し、前記制御信号の電圧が前記第２閾値電圧よりも大きいハイレベル電圧を示している場合に前記第１閾値電圧よりも大きい電圧の前記変換信号を生成してもよい。
【００１１】
前記比較部は、前記変換信号の電圧が小さくなるように変化する場合には、前記変換信号の電圧が前記第１閾値電圧よりも所定値だけ小さな電圧に達したタイミングで前記比較結果を第１状態にし、前記変換信号の電圧が大きくなるように変化する場合には、前記変換信号の電圧が前記第１閾値電圧よりも所定値だけ大きな電圧に達したタイミングで前記比較結果を第２状態にしてもよい。
【００１２】
また、上記の発振器は、前記制御信号の電圧範囲に関する情報を取得し、取得した情報に基づいて前記第１閾値電圧を決定する制御部をさらに備えてもよい。
【００１３】
本発明の第２の態様においては、発振信号を出力する発振器を制御する方法であって、前記発振信号を出力するか否かを切り替える制御信号の電圧範囲に関する情報を取得する手順と、前記発振信号を出力するか否かを切り替える出力デバイスに供給される電源電圧に関する情報を取得する手順と、前記制御信号の電圧を分圧する抵抗の値を決定する手順と、前記抵抗の値を決定する手順の後に実行される、前記制御信号の変化に応じて前記発振信号を出力するか否かを切り替える手順と、を有する発振器制御方法を提供する。
【発明の効果】
【００１４】
本発明によれば、発振器の動作モードを制御するための制御信号に使用できる電圧の範囲を大きくすることができるという効果を奏する。
【図面の簡単な説明】
【００１５】
【図１】第１の実施形態に係る発振器の構成を示す図である。
【図２】第２の実施形態に係る発振器の構成を示す図である。
【図３】第３の実施形態に係る発振器の構成を示す図である。
【図４】第３の実施形態に係る制御部の動作フローチャートである。
【図５】第４の実施形態に係る発振器の構成を示す図である。
【発明を実施するための形態】
【００１６】
＜第１の実施形態＞
［発振器１の構成］
図１は、第１の実施形態に係る発振器１の構成を示す図である。発振器１は、振動子１０と、発振回路２０と、増幅回路３０と、出力デバイス４０と、電圧生成部５０と、電圧変換部６０と、比較部７０とを備える。発振器１は、電源電圧を入力する電源端子（ＶＣＣ端子）、発振信号を出力するか否かを制御する制御信号を入力する制御端子（Ｅ／Ｄ端子）、発振信号を出力する出力端子（ＯＵＴ端子）、及び基準電圧を入力するグランド端子（ＧＮＤ端子）を有する。
【００１７】
振動子１０は、発振回路２０に接続されることにより振動波を発生する水晶振動子、セラミック振動子等のデバイスである。発振回路２０は、例えばコルピッツ発振回路であり、振動子１０の振動に応じて発振信号を生成する。
【００１８】
増幅回路３０は、発振回路２０が発生した発振信号を増幅する。増幅回路３０は、増幅した発振信号を出力デバイス４０へと出力する。
【００１９】
出力デバイス４０は、制御端子から入力された制御信号に応じて比較部７０が出力する比較結果に対応するモード切替信号に基づいて、発振信号を出力するか否かを切り替える。出力デバイス４０は、ＣＭＯＳトランジスタ又はバイポーラトランジスタ等の半導体デバイスから構成される。出力デバイス４０は、電源端子に入力される電源電圧の供給を受けて動作する。
【００２０】
電圧生成部５０は、電源端子とグランド端子との間で互いに直列に接続された抵抗５１及び抵抗５２を有する。電圧生成部５０は、抵抗５１の抵抗値（Ｒ５１）と抵抗５２の抵抗値（Ｒ５２）との比に応じた第１閾値電圧Ｖｔ１を生成する。電源電圧をＶＣＣとすると、第１閾値電圧Ｖｔ１は、Ｖｔ１＝ＶＣＣ×Ｒ５２÷（Ｒ５１＋Ｒ５２）により与えられ、電圧変換部６０が生成する変換信号の電圧がハイレベルであるかロウレベルであるかを判定するために用いられる。
【００２１】
電圧生成部５０は、制御信号の閾値電圧である第２閾値電圧Ｖｔ２と、制御信号の最大電圧Ｖｍａｘと、出力デバイスの電源電圧ＶＣＣと、に基づいて定められる第１閾値電圧を生成する。具体的には、電圧生成部５０は、第２閾値電圧Ｖｔ２に、電源電圧ＶＣＣに対する制御信号の最大電圧Ｖｍａｘの比を乗じることにより定められる第１閾値電圧Ｖｔ１を生成する。
【００２２】
例えば、制御信号のロウレベルの電圧範囲が０Ｖ以上０．５Ｖ未満であり、制御信号のハイレベルの電圧範囲が２．５Ｖ以上１０Ｖ未満であるとする。この場合、第２閾値電圧Ｖｔ２は、制御信号のロウレベルの電圧範囲の最大値と、制御信号のハイレベルの電圧範囲の最小値との間の中央値であり、Ｖｔ２＝（０．５＋２．５）÷２＝１．５Ｖである。したがって、第１閾値電圧Ｖｔ１は、Ｖｔ１＝Ｖｔ２×ＶＣＣ÷Ｖｍａｘ＝１．５×５．０÷１０．０＝０．７５Ｖとなる。
【００２３】
上記のように、Ｖｔ１＝ＶＣＣ×Ｒ５２÷（Ｒ５１＋Ｒ５２）なので、例えばＶＣＣ＝５．０Ｖとすると、Ｒ５１：Ｒ５２＝１７：３となる。したがって、Ｒ５１は、例えば１７ｋΩであり、Ｒ５２は、例えば３ｋΩである。このようにして、電圧生成部５０は、第１閾値電圧Ｖｔ１として０．７５Ｖを出力する。
【００２４】
電圧変換部６０は、制御信号の最大電圧Ｖｍａｘと電源電圧ＶＣＣとの比に基づいて制御信号の電圧を変換することにより、変換信号を生成する。具体的には、電圧変換部６０は、入力される制御信号の電圧Ｖｃに、制御信号の最大電圧Ｖｍａｘに対する電源電圧ＶＣＣの比を乗じた電圧の変換信号を生成する。より具体的には、電圧変換部６０は、制御端子から入力される制御信号の電圧を分圧することにより、抵抗６１の抵抗値（Ｒ６１）と抵抗６２の抵抗値（Ｒ６２）との比に応じた電圧の変換信号を生成する。Ｖｍａｘ＝１０．０Ｖ、ＶＣＣ＝５．０Ｖとすると、電圧変換部６０は、入力される制御信号の電圧Ｖｃに、制御信号の最大電圧Ｖｍａｘに対する電源電圧ＶＣＣの比であるＶＣＣ／Ｖｍａｘ＝０．５を乗じた電圧の変換信号を生成する。
【００２５】
変換信号の電圧Ｖｄは、Ｖｄ＝Ｖｃ×Ｒ６２÷（Ｒ６１＋Ｒ６２）により与えられる。制御信号の最大電圧Ｖｍａｘに対する電源電圧ＶＣＣの比が０．５である場合、Ｖｄ／Ｖｃ＝ＶＣＣ／Ｖｍａｘ＝０．５なので、Ｒ６２÷（Ｒ６１＋Ｒ６２）＝０．５であり、Ｒ６１：Ｒ６２＝１：１となる。したがって、Ｒ６１は、例えば１ｋΩであり、Ｒ６２は、例えば１ｋΩである。
【００２６】
電圧変換部６０は、上記の構成を有することにより、制御信号の電圧が第２閾値電圧Ｖｔ２よりも小さいロウレベル電圧を示している場合に第１閾値電圧Ｖｔ１よりも小さい電圧の変換信号を生成する。また、電圧変換部６０は、制御信号の電圧が第２閾値電圧Ｖｔ２よりも大きいハイレベル電圧を示している場合に第１閾値電圧Ｖｔ１よりも大きい電圧の変換信号を生成する。
【００２７】
比較部７０は、変換信号の電圧Ｖｄと第１閾値電圧Ｖｔ１との比較結果に応じた比較電圧を出力する。比較部７０は、非反転入力端子と反転入力端子とを有し、非反転入力端子に入力された電圧と反転入力端子に入力された電圧との大小関係に応じて、出力端子から電源電圧又はグランド電圧を出力するコンパレータである。非反転入力端子は、抵抗６１と抵抗６２との接続点と接続されており、非反転入力端子には、電圧変換部６０が出力する変換信号の電圧Ｖｄが印加される。また、反転入力端子は、抵抗５１と抵抗５２との接続点と接続されており、反転入力端子には、電圧生成部５０が出力する第１閾値電圧Ｖｔ１が印加される。
【００２８】
比較部７０は、変換信号の電圧Ｖｄが第１閾値電圧Ｖｔ１以下の場合に、０Ｖの第１モード切替信号を出力する。比較部７０は、変換信号の電圧Ｖｄが第１閾値電圧Ｖｔ１より大きい場合に、電源電圧に等しい５．０Ｖの第２モード切替信号を出力する。
【００２９】
［発振器１の動作］
制御信号のロウレベルの電圧範囲が０Ｖ以上０．５Ｖ以下、ハイレベルの電圧範囲が２．５Ｖ以上１０．０Ｖ以下であるとする。以下、制御信号の電圧が０Ｖ、０．５Ｖ、２．５Ｖ、１０．０Ｖの場合に、比較部７０が第１モード切替信号を出力するか、第２モード切替信号を出力するかについて説明する。
【００３０】
制御信号の電圧が０Ｖの場合、Ｖｄ＝０ＶなのでＶｄ＜Ｖｔ１（０．７５Ｖ）となり、比較部７０は第１モード切替信号を出力する。制御信号の電圧が０．５Ｖの場合、Ｖｄ＝０．２５ＶなのでＶｄ＜Ｖｔ１（０．７５Ｖ）となり、比較部７０は第１モード切替信号を出力する。このように、制御信号がロウレベルである場合に、比較部７０は第１モード切替信号を出力する。
【００３１】
制御信号の電圧が２．５Ｖの場合、Ｖｄ＝１．２５ＶなのでＶｄ＞Ｖｔ１（０．７５Ｖ）となり、比較部７０は第２モード切替信号を出力する。制御信号の電圧が１０．０Ｖの場合、Ｖｄ＝５．０ＶなのでＶｄ＞Ｖｔ１（０．７５Ｖ）となり、比較部７０は第２モード切替信号を出力する。このように、制御信号がハイレベルである場合に、比較部７０は第２モード切替信号を出力する。
【００３２】
［第１の実施形態における効果］
以上のとおり、第１の実施形態に係る発振器１においては、電圧変換部６０が、制御信号の電圧を分圧した変換信号を生成し、比較部７０が、変換信号の電圧と電圧生成部５０が生成する第１閾値電圧Ｖｔ１との比較結果に応じた第１モード切替信号又は第２モード切替信号を出力する。第１モード切替信号又は第２モード切替信号は、出力デバイス４０の電源電圧の範囲内で変化する信号なので、制御信号の電圧が電源電圧より大きな電圧であっても、出力デバイス４０は故障しないで動作する。したがって、発振器１の動作モードを制御するための制御信号に使用できる電圧の範囲を、従来の発振器よりも大きくすることができる。
【００３３】
＜第２の実施形態＞
図２は、第２の実施形態に係る発振器２の構成を示す図である。第２の実施形態に係る発振器２においては、比較部７０が、コンパレータ７１の非反転入力端子と出力端子との間に抵抗７２を有する点で第１の実施形態に係る発振器１と異なり、他の点で同じである。
【００３４】
比較部７０が抵抗７２を有することにより、比較部７０はヒステリシス特性を有するコンパレータとして動作する。具体的には、比較部７０は、変換信号の電圧が小さくなるように変化する場合には、変換信号の電圧が第１閾値電圧Ｖｔ１よりも所定値だけ小さな電圧に達したタイミングで比較結果を第１状態にして、第１モード切替信号を出力する。また、比較部７０は、変換信号の電圧が大きくなるように変化する場合には、変換信号の電圧が第１閾値電圧Ｖｔ１よりも所定値だけ大きな電圧に達したタイミングで比較結果を第２状態にして、第２モード切替信号を出力する。
【００３５】
例えば、第１の実施形態に係る比較部７０は、変換信号の電圧が第１閾値電圧Ｖｔ１（０．７５Ｖ）よりもわずかに小さい０．７０Ｖにおいては第１モード切替信号を出力し、変換信号の第１閾値電圧Ｖｔ１よりもわずかに大きい０．８０Ｖにおいては第２モード切替信号を出力した。したがって、変換信号の電圧が第１閾値電圧Ｖｔ１の付近で変動した場合、変換信号の電圧が第１閾値電圧Ｖｔ１より大きくなったり小さくなったりするたびに、第１モード切替信号と第２モード切替信号とが切り替わってしまう。
【００３６】
これに対して、第２の実施形態に係る比較部７０は、第１モード切替信号を出力中に、変換信号の電圧が上昇して第１閾値電圧Ｖｔ１を越えた場合、第１閾値電圧Ｖｔ１よりも例えば０．５Ｖ高い電圧である１．２５Ｖに達した時点で、出力する比較結果を、第１モード切替信号から第２モード切替信号へと変化させる。逆に、比較部７０は、第２モード切替信号を出力中に、変換信号の電圧が下降して第１閾値電圧Ｖｔ１よりも小さくなった場合、第１閾値電圧Ｖｔ１よりも例えば０．５Ｖ低い電圧である０．２５Ｖに達した時点で、出力する比較結果を、第２モード切替信号から第１モード切替信号へと変化させる。
【００３７】
［第２の実施形態における効果］
以上のとおり、第２の実施形態に係る発振器２における比較部７０はヒステリシス特性を有する。したがって、制御信号の変化速度が遅かったり、ノイズが入ったりしたことによって制御信号の電圧が第１閾値電圧Ｖｔ１をまたいで変化した場合であっても、制御信号の変化に応じて比較結果が頻繁に変化することを防止できる。
【００３８】
＜第３の実施形態＞
図３は、第３の実施形態に係る発振器３の構成を示す図である。第３の実施形態に係る発振器３は、制御部８０と、データ入力端子（ＤＡＴＡ端子）をさらに備える点で第２の実施形態と異なる。また、第３の実施形態に係る発振器３は、抵抗５１、５２の代わりに可変抵抗５３、５４を有し、抵抗６１、６２の代わりに可変抵抗６３、６４を有し、抵抗７２の代わりに可変抵抗７３を有する点でも第２の実施形態に係る発振器１と異なる。可変抵抗５３、５４、６３、６４、７３は、制御部８０から入力される設定値に応じて抵抗を変化させることができる。
【００３９】
制御部８０は、例えばＣＰＵであり、データ入力端子から入力される情報に基づいて、可変抵抗５３、５４、６３、６４、７３の抵抗値を制御する。制御部８０は、例えば、データ入力端子から、制御信号のロウレベルの電圧範囲、制御信号のハイレベルの電圧範囲、電源電圧ＶＣＣを示す情報を取得する。制御部８０は、これらの情報に基づいて、比較部７０に入力される第１閾値電圧及び変換信号の電圧を制御する。
【００４０】
図４は、第３の実施形態に係る制御部８０の動作フローチャートである。まず、制御部８０は、データ入力端子から、制御信号のロウレベルの電圧範囲、及び制御信号のハイレベルの電圧範囲を示す範囲情報を取得する（Ｓ１０１）。次に、制御部８０は、電源電圧を示す情報を取得する（Ｓ１０２）。
【００４１】
制御部８０は、これらの情報を取得すると、制御信号のロウレベルの最大電圧、及び制御信号のハイレベルの最小電圧に基づいて、第２閾値電圧Ｖｔ２を算出する（Ｓ１０３）。続いて、制御部８０は、第２閾値電圧Ｖｔ２に、電源電圧ＶＣＣに対する制御信号の最大電圧Ｖｍａｘの比を乗じることにより、第１閾値電圧Ｖｔ１を決定する（Ｓ１０４）。続いて、制御部８０は、電源電圧ＶＣＣと第１閾値電圧Ｖｔ１とに基づいて、可変抵抗５３の抵抗値と可変抵抗５４の抵抗値との比を算出し、算出した比に基づいて、可変抵抗５３の抵抗値及び可変抵抗５４の抵抗値を決定する（Ｓ１０５）。
【００４２】
続いて、制御部８０は、制御信号の最大電圧Ｖｍａｘと電源電圧ＶＣＣとの比に基づいて、可変抵抗６３の抵抗値及び可変抵抗６４の抵抗値を算出する（Ｓ１０６）。具体的には、制御部８０は、制御信号の最大電圧Ｖｍａｘが制御端子から入力された場合に、変換信号の電圧が電源電圧ＶＣＣ以下になるように、可変抵抗６３の抵抗値及び可変抵抗６４の抵抗値を決定する。
【００４３】
最後に、制御部８０は、可変抵抗７３の抵抗値を決定する。制御部８０は、例えば、データ入力端子から取得したヒステリシスの大きさに基づいて、可変抵抗７３の抵抗値を決定する（Ｓ１０７）。制御部８０は、不揮発性メモリを有し、決定した可変抵抗の抵抗値を不揮発性メモリに格納してもよい。
【００４４】
［第３の実施形態における効果］
以上のとおり、第３の実施形態に係る発振器３は、可変抵抗５３、５４、６３、６４、７３の抵抗値を制御する制御部８０を備える。発振器３が制御部８０を有することにより、可変抵抗５３、５４、６３、６４、７３の抵抗値を、発振器３が使用される装置が出力する制御信号の仕様に適した値にすることができる。
【００４５】
＜第４の実施形態＞
図５は、第４の実施形態に係る発振器４の構成を示す図である。第４の実施形態に係る発振器４は、第１閾値電圧が比較部７０の非反転入力端子に入力され、変換信号が比較部７０の反転入力端子に入力されている点で第２の実施形態と異なり、他の点で同じである。第４の実施形態においては、変換信号の電圧が第１閾値電圧Ｖｔ１よりも大きい場合にコンパレータ７１がロウレベル信号を出力し、変換信号の電圧が第１閾値電圧Ｖｔ１以下である場合にコンパレータ７１がハイレベル信号を出力する。このような構成は、制御端子から入力される制御信号の論理が第２の実施形態と異なる場合に好適である。
【００４６】
なお、発振器１は、比較部７０の非反転入力端子に第１閾値電圧を入力するか、変換信号を入力するかを切り替えるスイッチ、及び反転入力端子に第１閾値電圧を入力するか、変換信号を入力するかを切り替えるスイッチを備えてもよい。さらに、発振器４は、第３の実施形態で説明した制御部８０をさらに備えてもよい。発振器４は、制御部８０が上記のスイッチを制御することにより、発振器４が使用される装置の制御信号の論理に適した動作をすることができる。
【００４７】
以上、本発明を実施の形態を用いて説明したが、本発明の技術的範囲は上記実施の形態に記載の範囲には限定されない。上記実施の形態に、多様な変更又は改良を加えることが可能であることが当業者に明らかである。そのような変更又は改良を加えた形態も本発明の技術的範囲に含まれ得ることが、特許請求の範囲の記載から明らかである。
【符号の説明】
【００４８】
１、２、３、４  発振器
１０  振動子
２０  発振回路
３０  増幅回路
４０  出力デバイス
５０  電圧生成部
５１、５２、６１、６２、７２  抵抗
５３、５４、６３、６４、７３  可変抵抗
６０  電圧変換部
７０  比較部
７１  コンパレータ
８０  制御部
【図１】
2016054377.tif 000003
【図２】
2016054377.tif 000004
【図３】
2016054377.tif 000005
【図４】
2016054377.tif 000006
【図５】
2016054377.tif 000007